(57)【特許請求の範囲】
【請求項１】
生体からなる被検体内に導入され、前記生体を通じて得られた被検体内情報を通信するカプセル型内視鏡装置と、前記被検体の体外に配置され前記カプセル型内視鏡装置で得られた前記被検体内情報を取得する通信装置とを備える被検体内情報取得システムにおいて、
前記通信装置との前記被検体内情報を送受信する前記カプセル型内視鏡装置の表面に設けられたデータ送受信電極と、前記データ送受信電極を覆い、且つ前記被検体の内壁と接触し、前記被検体内壁との導通を図る水分保持部と、を有することを特徴とする被検体内情報取得システム。
【請求項２】
前記水分保持部は、前記データ送受信電極を覆う外装カバー部により構成され、前記外装カバー部に複数の孔部を有することを特徴とする請求項１に記載の被検体内情報取得システム。
【請求項３】
前記外装カバー部に設けられた前記複数の孔部は、少なくとも前記データ送受信電極上で開口され、前記水分を表面張力で前記外装カバー部と前記カプセル型内視鏡装置の外表面との間でと保持する直径を有することを特徴とする請求項２に記載の被検体内情報取得システム。
【請求項４】
前記外装カバー部は、生体に無害で絶縁性を有し、前記被検体内に存在する反応性物質に対する耐腐食性を有する材料により形成されることを特徴とする請求項３に記載の被検体内情報取得システム。
【請求項５】
前記外装カバー部は、絶縁性を有する樹脂により形成されることを特徴とする請求項４に記載の被検体内情報取得システム。
【請求項６】
前記水分保持部は、前記カプセル型内視鏡装置の外表面を囲む繊維からなる織布又は不織布からなることを特徴とする請求項１に記載の被検体内情報取得システム。
【請求項７】
前記繊維からなる織布又は不織布は、前記被検体内の反応物質に対する耐腐食性を有するキチン繊維又は高吸収性ポリマー材料によるものであることを特徴とする請求項６に記載の被検体内情報取得システム。
【請求項８】
前記データ送受信電極は、前記カプセル型内視鏡の前記外装面上に櫛歯状に形成された櫛歯状電極であることを特徴とする請求項１乃至２又は請求項６に記載の被検体内情報取得システム。
【発明の詳細な説明】
【技術分野】
【０００１】
本発明は、被検体の体腔内を移動しつつ観察するための画像を撮像する被検体内情報取得システムに関する。
【背景技術】
【０００２】
一般に、医療用観察装置として、患者等の被検体における体腔内の様子を画像として撮像して、モニタ表示を行う内視鏡装置が知られている。通常の内視鏡装置は、先端部に可撓性を有し、口腔などから差し込まれ、先端部側や基端部側に設けられた撮像部により観察対象となる病変部等が撮像される。
【０００３】
この内視鏡装置とは構成が異なるものとして、カプセル型内視鏡装置があり、撮像素子及び照明機器を内蔵するカプセル型内視鏡本体がカプセル型の外装部に封入された構成である。カプセル型内視鏡装置は、患者等に口から飲み込みませ、体腔内を通過する際に、多数回の撮像を行い、それらの撮像データを送信する。これらの撮像データは、カプセル型内視鏡システムの受信部で受け取り、表示部の画面に表示される。例えば、特許文献１に記載される飲み込み型のカプセル型内視鏡システムにおいては、撮像機能と生体を利用した通信機能（以下、生体通信）とを備え、被検体内の観察のために、口から飲み込まれた後、体腔外に自然排出されるまでの間、体腔内、例えば胃、小腸などの臓器内部をその蠕動運動に従って通過し、順次撮像する機能を有する。体腔内を通過する間、カプセル型内視鏡装置によって撮像された画像データは、その都度、生体通信により外部に送信され、外部に設けられたメモリに蓄積される。
【特許文献１】特開２００６−５１３６７０号公報
【発明の開示】
【発明が解決しようとする課題】
【０００４】
しかしながら、前述した特許文献１に記載される技術においては、カプセル型内視鏡装置の外装に露呈している２極の送信電極が、共に胃腸管内の体壁に接して通信を行うシステムである。体腔内を移動するカプセル型内視鏡は、胃腸管表面の多数の襞の上を蠕動運動で移動するため、画胃腸管内で様々の姿勢となる。撮影タイミング時（データ送信時）に、２極が胃腸管内の体壁に共に接しない状況が発生すると、適正な通信が行われず、画像データが得られない事態が発生する。このような状況を鑑みれば、提案されている２極の送信電極により生体を利用した通信システムが必ずしも最適とは言えない。
【０００５】
そこで本発明は、生体を利用した通信機能を有し、体腔内を蠕動運動に従って移動する際に、通信に用いられる電極と体壁との導通領域を拡大させることにより、姿勢に拘わらず、適正な電気的な接触状態を維持し、安定的な通信を可能とする被検体内情報取得システムを提供することを目的とする。
【課題を解決するための手段】
【０００６】
本発明は上記目的を達成するために、生体からなる被検体内に導入され、前記生体を通じて得られた被検体内情報を通信するカプセル型内視鏡装置と、前記被検体の体外に配置され前記カプセル型内視鏡装置で得られた前記被検体内情報を取得する通信装置とを備える被検体内情報取得システムにおいて、前記通信装置との前記被検体内情報を送受信する前記カプセル型内視鏡装置の表面に設けられたデータ送受信電極と、前記データ送受信電極を覆い、且つ前記被検体の内壁と接触し、前記被検体内壁との導通を図る水分保持部と、を有する被検体内情報取得システムを提供する。
【発明の効果】
【０００７】
本発明によれば、生体を利用した通信機能を有し、体腔内を蠕動運動に従って移動する際に、通信に用いられる電極と体壁との導通領域を拡大させることにより、姿勢に拘わらず適正な電気的な接触状態を維持し安定的な通信を可能とする被検体内情報取得システムを提供することができる。
【発明を実施するための最良の形態】
【０００８】
以下、図面を参照して本発明の実施形態について詳細に説明する。  
図１には、本発明の第１の実施形態に係る被検体内情報取得システムの構成例を示す。本実施形態は、生体を利用した通信（以下、生体通信）の通信伝送路に水を保持し、この水を介し通信を行うカプセル型内視鏡装置を用いるシステムである。
【０００９】
まず、本実施形態に係るカプセル型内視鏡装置における水の保持方法について説明する。本実施形態ではカプセル型内視鏡と複数の孔を有する外装カバー部との間に水を保持するもので、カプセル型内視鏡と外装カバー部との間で一度保持した水を外装カバー部外に出ないようにするには、水の表面張力が水にかかる外力よりも高いことが必要である。これを式で表すと、
ｍｇ（水にかかる力） ＜  ２πｒγ（水を止めようとする力）  
m；水の質量  
g；重力加速度  
r；外装カバー孔の半径  
γ；表面張力  
この時に「左辺＝右辺」が成り立つ時、水は外装カバー部より外に出る。ここで水の密度をρ、水の高さをｈとすると 
ｍｇ（水にかかる力） ＝  πｒ２ｈρｇ  
＜  ２πｒγ（水を止めようとする力）  
両辺を整理して  
ｒｈρｇ（水にかかる力）  ＜  ２γ（水を止めようとする力）  
この式よりｒ、ｈが小さいほど水は外装カバー部外に出ない。
【００１０】
本実施形態に係る被検体内情報取得システムについて説明する。
【００１１】
図１に示すように、本実施形態に係るカプセル型内視鏡システムは、被検体１の口から投与されて体腔内を通過しつつ、被検体１の体内情報を収集するカプセル型内視鏡装置２と、被検体１の体外近傍に配置され、カプセル型内視鏡装置２との間で各種の情報を通信する体外装置である通信装置３と、データを送受信するためのデータ送受信部６と、を備えている。また、カプセル型内視鏡システムは、通信装置３が受信したデータに基づいて画像表示を行う表示装置４と、通信装置３と表示装置４間でデータの入出力を行う携帯型記録媒体５とを備えている。尚、データ送受信部６は１つもしくは１つ以上の電極で構成されている。
【００１２】
次に、カプセル型内視鏡装置２について説明する。  
図２（ａ），（ｂ）には、カプセル型内視鏡装置２の概観構成を示し、図８には、カプセル型内視鏡装置２の構成例を示し、図９には、データ送受信部６、通信装置３及び表示装置４の構成例を示す。  
図２（ａ），（ｂ）にカプセル型内視鏡装置２は、撮像部９と、その撮像範囲（画角）を必要な明るさに照明する照明部８と、これらの駆動を制御する後述する制御部（図８：制御回路２４）と、後述する電源部（図８：電源部１６）と、データ送受信電極７を有する後述する通信部（図８：通信部１５）と、により構成され、前後に半球体を有する円筒形状、所謂カプセル形状の外装部１２に収容される。
【００１３】
カプセル型内視鏡装置２の外装部１２は、被検体１である生体又は人体に無害で、且つ絶縁体で形成されている。前後に２つに分割された部位を用いた外装部１２は、内視鏡装置本体を収容後に嵌合して、接着固定される。また、内視鏡装置本体を一体成型による樹脂で封止する構造であってもよい。この時、少なくとも撮像素子の撮像範囲は、透明樹脂とする。本実施形態における外装部１２は、撮像部９の撮像面側を覆う透明外装部と、撮像部９より後方の有色外装部とにより構成されている。
【００１４】
この外装部１２の外周表面には、リング状に巻装され、生体通信により通信を行うための２つのデータ送受信電極７が形成されている。これらのデータ送受信電極７は、被検体１の内部で消化液などの反応性物質に耐えることができるように、耐腐食性に優れ、且つ人体に無害な導電物質によりである。本実施形態では、例えば、ステンレスＳＵＳ３１６Ｌ、チタン又は金が好適する。図２では２極の電極構成を示しているが、これに限定されず、単数極でも多数極であってもよい。
【００１５】
図８に示すカプセル型内視鏡装置２の構成について説明する。  
前述した制御部は、ＣＰＵ等の処理演算素子及び予め定められアプリケーションを記憶する記憶素子により構成される制御回路２４からなり、カプセル型内視鏡装置２内の各構成部位を制御する。撮像部９は、後述する透明外装部材を経て結像された光像を光電変換して胃腸管画像信号を生成する撮像素子２８と、撮像素子２８を駆動（画像取り込み動作）する撮像素子駆動回路２７と、撮像素子２８から得られた胃腸管画像信号に一般的な画像処理を施し画像データを生成する画像信号処理回路２９とで構成される。
【００１６】
通信部１５は、画像データを通信信号に変調する変調回路３０と、画像データ及びその画像データに関する情報からなる通信信号をデータ送受信部６に送信するデータ送受信電極７とで構成される。撮像素子２８は、例えば、電荷結合素子（ＣＣＤ）イメージセンサ又はＣＭＯＳイメージセンサが用いられる。尚、それぞれに結像光学系を有する複数の撮像素子、又は、１つの撮像素子と複数の結像光学系による瞳分割を用いた立体画像を生成する構成でもよい。
【００１７】
照明部８は、高輝度発光を行う発光素子（ＬＥＤ）２６と、制御回路２４の指示による発光タイミングや発光輝度に従い、発光素子２６を発光駆動するＬＥＤ駆動回路２５とにより構成される。発光素子２６は、撮像タイミングに同期して間欠的に発光し、疾患部を見い出し易くする波長の光を用いる。また、発光素子２６の間欠的発光を行うことにより、照明部による温度上昇を抑制及び電源の省消費化を図ることができる。また、発光素子２６は、複数個を用いて、撮像素子の周辺に分散して配置してもよい。
【００１８】
電源部は、例えば、小型電池からなるバッテリ２１と、バッテリ２１から供給された電源を駆動電圧に変換する電源回路２３と、これらの間に設けられ、外部からの作用によりオン動作するスイッチ２２とで構成される。スイッチ２２のオンにより、バッテリ２１から電源回路２３に電源が入力され、各構成部の部位への駆動電圧の供給が開始される。
【００１９】
図９には、データ送受信部６、通信装置３及び表示装置４の構成例を示す。  
データ送受信部６は、前述したデータ送受信電極７から被検体１の生体を利用した通信によって送信された通信信号を受信し、ケーブル接続される通信装置３に伝搬する。通信装置３は、受け取った通信信号に対して復調等の処理を施し、胃腸管画像信号として再生する。
【００２０】
このとき、カプセル型内視鏡装置２内の画像信号処理回路２９において、画像信号のデジタル化処理が行われていない場合には、通信装置３は再生した胃腸管画像信号に画像処理を施した後、画像データとして、ＵＳＢメモリ等の着脱自在な携帯型記録媒体５に記憶させる。
【００２１】
表示装置４は、装着された携帯型記録媒体５に対して画像データを含む情報信号を入出力するための入出力部（Ｉ／Ｏ部）３６と、画像データを表示するための映像信号に変換し色の補正等を施す画像処理部３４と、映像信号を画面表示するモニタ３５と、電池や商用電源から電力を受けて各構成部位に駆動するための電源を供給する電源部３３と、表示装置全体を制御する制御部３１と、キーボートやタッチパネル又はマウス等からなり、ユーザの指示や設定を入力するための操作入力部３２とで構成される。この表示装置４は、パーソナルコンピュータにより構成してもよい。
【００２２】
本実施形態では、カプセル型内視鏡装置２から胃腸管画像をデータ送受信部６に送る例について説明したが、勿論、データ送受信部６からカプセル型内視鏡装置２にデータ信号を送信することも可能である。この場合には、図８に示したカプセル内視鏡装置２内にデータ送受信電極７に接続される復調回路等の通信信号を元の指示信号やデータ信号に変換する回路を設ければよい。また通信される信号は、画像データによる信号だけでなくトリガ信号等も送ることができる。
【００２３】
図３にカプセル型内視鏡装置２に冠着される外装カバー部１１について説明する。  
外装カバー部１１には、絶縁性を有する材料例えば、樹脂等により作製され、全体に亘り略等間隔で多数の孔１０が開口されている。外装カバー部１１は、データ送受信電極７と同様に、被検体１内に存在する消化液などの反応性物質に耐えることができる耐腐食性を有し、且つ人体に無害な絶縁性物質である。外装カバー部１１の内面と、カプセル型内視鏡装置２の外表面との間には、僅かに隙間が拡がって存在し水を保持できる。
【００２４】
図４は、外装カバー部１１がカプセル型内視鏡装置２に冠着された状態を示している。外装カバー部１１は、撮像部以外を覆う形状であり、孔１０は、データ送受信電極７と対向する。
【００２５】
これらの孔１０内に侵入した水はデータ送受信電極７に達し、さらに、外装カバー部１１とカプセル型内視鏡装置２との間の隙間に拡がる。つまり、１つの孔１０内の水が被検体１の体表面の水と結びつくだけで、その隙間に拡がった水を介して、データ送受信電極７に拡がるように電気的に接続する。
【００２６】
従って、この水は孔１０内及びカプセル型内視鏡装置２と外装カバー部１１との間隙に存在し、少なくとも被検体１の体壁面と接触することから、データ送受信電極７から通信装置３までのデータ伝送路が確実に形成される。すなわち、送信される通信信号の伝送路は、データ送受信電極７から水及び被検体１を媒介して通信装置３に伝送され、さらに、通信装置３から被検体１及び水を媒介してデータ送受信電極７に伝送される。
【００２７】
この水分保持状態を作るには、被検体１がカプセル型内視鏡装置２を飲み込む前にカプセル型内視鏡装置２を水の中に入れ間隙に水を含ませるようにしても良い。この時の水とは純水や水道水、食塩水、リンゲル液である。また事前に必ずしも水を含ませなくても良く、被検体内を蠕動運動により移動する内に胃の中で水分は充分に確保できる。
【００２８】
本実施形態では、カプセル型内視鏡装置２に、多数の孔が開口された外装カバー部１１を冠着することにより、被検体１と２極のデータ送受信電極７が直接接触しなくても、孔２内に進入した水を媒介させた伝送路を構築する。従って、被検体１の体壁に対して、常にデータ送受信電極７が水を保持した状態で被検体１内を移動するため、体壁に対して姿勢が不安定な状態であっても、電気的導通がとれるため安定した通信が可能となる。
【００２９】
以上のように本実施形態の被検体内情報取得システムによれば、生体を利用した通信機能を有し、体腔内を蠕動運動に従って移動する際に、通信に用いられるデータ送受信電極と被検体の体壁とが水分を介して適正な電気的な接触状態を維持することで、姿勢に拘わらず、安定的な通信を実現することができる。
【００３０】
次に、第２の実施形態について説明する。  
第２の実施形態では繊維による毛細管現象を利用した水の保持手段を利用する。毛細管現象は、管状の物体中を液体が吸い込まれて通り抜ける現象である。具体的には、管状物体内壁の表面張力、濡れやすさ及び液体の密度によって液体が移動する現象であり、その移動するカが重力などの外力と均衡になるまで液体が移動する。この時に、Ｔ：表面張力（Ｎ／ｍ）、θ：接触角（°）、ｐ：液体の密度（ｋｇ／ｍ３）、ｇ：重力加速度（ｍ／ｓｅｃ２）、ｒ：管の内半径（ｍ）とすると、液面の上昇高さｈ（ｍ）は、  
ｈ＝２Ｔｃｏｓθ／ｐｇｒ  で表される。
【００３１】
図５には、本実施形態のカプセル型内視鏡装置２の外装カバー部に換わって、繊維カバー部を使用した構成例を示す。 
本実施形態では、図５に示すように、データ送受信電極７を覆う繊維カバー部１３が設けられている。これら繊維カバー部１３は、胃腸管内の体液で溶解難な材質、例えば、キチン繊維や高吸収性ポリマー等を用いて、織布又は不織布として作製される。勿論、これら繊維カバー部１３は、被検体１内の水を吸収して保持する能力を有しているものとする。繊維カバー部１３は、データ送受信電極７を完全に覆い、データ送受信電極７からはみ出た箇所（当接していない箇所）に接着剤など塗布してカプセル型内視鏡装置２に固定する。また、繊維カバー部１３の配置は外装カバー部１１と同じく撮像部以外を覆う形状だが、これに限るものではなくデータ送受信電極７に接触するように配置されていればどのように設けられていても良い。
【００３２】
本実施形態によれば、前述した第１の実施形態と同等の作用効果が得られる。さらに、本実施形態は、織布又は不織布により水を吸水保持しているため、樹脂製の外装カバー部よりも、より多くの水を保持させることができる。また水が抜けてしまったとしても再度被検体内の体壁に接触することで、胃腸管内の水分を再度引き込み保持することができる。
【００３３】
次に、第３の実施形態について説明する。  
図６（ａ），（ｂ）及び図７（ａ），（ｂ）に示すように、本実施形態は、電極に櫛歯電極を用いた構成である。図６（ａ），（ｂ）は、櫛歯電極の外観構成を示し、図７（ａ），（ｂ）は、データ送受信電極７と孔１０の位置関係を示す図である。
【００３４】
図６（ａ），（ｂ）は、カプセル型内視鏡装置２の外装部１２表面上に、互い違いに非接触で咬み合う櫛歯状のデータ送受信電極（以下、櫛歯状電極と称する）１４ａ、１４ｂが形成される。尚、本実施形態における櫛歯状とは、例えば、両手を拡げてあわせた時の指のように左右から交互に配置されている状態である。具体的には、櫛歯状電極１４ａ、１４ｂは、図６（ｂ）に示すように、前方の撮像部８側から延出する櫛歯状電極１４ａと、後端側から前方に延出する櫛歯状電極１４ｂがあり、これらが接触せずに交互に延出することで櫛歯状電極１４ａ、１４ｂが構成される。また、櫛歯状電極１４ｂは、外装部１２の後端部で１つに集約するように形成されている。
【００３５】
また、図７（ａ）に示すように、カプセル型内視鏡装置２のデータ送受信電極１４が形成される外装部１２には、全体に孔１０が開口される外装カバー部１１が冠着されている。
【００３６】
これらの孔１０は、図７（ｂ）に示すように、データ送受信電極７の表面が露出する位置に孔１０が開口されている。
【００３７】
被検体１の水が外装カバー部１１に接すると、各孔１０内に保持されている水と接触する。これによって、図３に示した同様にデータ送受信電極７から通信装置３までの電気的伝送路が作られ、通信信号の電流がデータ送受信電極１４ａ→水→被検体１→通信装置３→被検体１→水→データ送受信電極１４ｂと流れることによって、生体を利用した通信が行われる。
【００３８】
しかし、図６及び図７では、データ送受信電極１４ａ，１４ｂまでの距離が短く配置されるため、電流値を高く保つことができるため、通信制度を向上できる。また伝送路を形成するために必要な水量が少なくて済む。尚、本実施形態の外装カバー部１１は、前述した繊維カバー部２８にしても構わない。
【００３９】
このように、櫛歯状電極１４ａ、１４ｂを用いることにより、図１０に示すように、カプセル型内視鏡装置２が被検体１内で撮像部８が上側を向くように立ち上がり、後端部のみが体壁４１の水４２に触れている姿勢であっても通信を行うことができる。
【００４０】
次に、図８及び図９を参照して、第１乃至第３の実施形態におけるカプセル型内視鏡装置２の駆動について説明する。尚、前述した第１乃至第３の実施形態は、データ送受信電極７と外装カバー部１１の構成や形状が異なるが、胃腸管画像の通信形態は同等である。
【００４１】
カプセル型内視鏡装置２は、被検体１に投与前は、初期状態であり、スイッチ２２によりバッテリ２１と電源回路２３は切り離されている。外部からの作用により、スイッチ２２がオンされると、バッテリ２１と電源回路２３が電気的に接続されて、各構成部位に電源が供給される。制御回路２４が制御を開始し、照明部８の照明下で撮像部９による撮像が行われ、被検体１の胃腸管画像が取得される。胃腸管画像は通信により表示装置４に伝送され、画面に表示される。
【００４２】
具体的には、制御回路２４の制御により、ＬＥＤ駆動回路２５が駆動されて発光素子２６が発光して、撮像範囲に照明光を照射し、撮像素子駆動回路２７により撮像素子２８が駆動され、被検体１の胃腸管画像が取得される。この胃腸管画像は、画像信号処理回路２９によって胃腸管画像信号が生成される。胃腸管画像信号は、変調回路３０で変調され、データ送受信電極７から生体（被検体１）を利用した通信によってデータ送受信部６へ伝送される。
【００４３】
データ送受信部６へ伝送された胃腸管画像信号は、例えば、ＵＳＢメモリスティック等の携帯型記録媒体５に蓄積されるように記憶される。携帯型記録媒体５は、表示装置４に設けられたＩ／Ｏポート（図示せず、）に接続される。勿論、被検体１（被検査者）の行動範囲の制限に関係がなければ、通信装置３と表示装置４とを通信ケーブルで接続して、胃腸管画像信号を伝送することも可能である。
【００４４】
表示装置４では、携帯型記録媒体５から読み出された胃腸管画像信号がＩ／Ｏ部３６を通じて、画像処理部３４に入力される。この画像処理部３４では、胃腸管画像信号に復調等の信号処理が施され、モニタ３５に胃腸管画像として表示される。この時、胃腸管画像に関する情報も画面上に併せて表示される。
【００４５】
前述した各実施形態では、カプセル型内視鏡装置２から胃腸管画像を通信装置３に伝送する例について説明したが、画像信号の送信のみに限定されるものではなく、通信装置３からカプセル型内視鏡装置２にデータ信号を送信することも可能である。
【００４６】
以上のように、前述した第１乃第３の実施形態によれば、被検体内でカプセル型内視鏡装置２がどのような姿勢となったとしても、データ送受信電極と体壁との間を水によって電気的導通がとれ、安定して確実に生体を利用した通信が実施されるため、被検体から抜けが無く連続的に胃腸管画像を得ることができる。
【図面の簡単な説明】
【００４７】
【図１】図１は、本発明の第１の実施形態に係るカプセル型内視鏡装置を用いる被検体内情報取得システムの構成例を示す図である。
【図２】図２（ａ），（ｂ）は、被検体内情報取得システムの概観構成を示す図である。
【図３】図３は、カプセル型内視鏡装置に冠着される外装カバー部の外観構成を示す図である。
【図４】図４は、外装カバー部がカプセル型内視鏡装置に冠着された状態を示す図である。
【図５】図５は、第２の実施形態における繊維カバー部が冠着されたカプセル型内視鏡装置の外観構成例を示す図である。
【図６】図６（ａ），（ｂ）は、櫛歯電極の外観構成を示す図である。
【図７】図７（ａ），（ｂ）は、データ送受信電極と孔の位置関係を示す図である。
【図８】図８は、カプセル型内視鏡装置の構成例を示す図である。
【図９】図９は、データ送受信部、通信装置及び表示装置の構成例を示す図である。
【図１０】図１０は、カプセル型内視鏡装置が被検体内での姿勢を示す図である。
【符号の説明】
【００４８】
１…被検体、２…カプセル型内視鏡装置、３…通信装置、４…表示装置、５…携帯型記録媒体、６…データ送受信部、７…データ送受信電極、８…照明部、９…撮像部、１０…孔、１１…外装カバー部、１２…外装部、１３…繊維カバー部、１４ａ、１４ｂ…データ送受信電極（櫛歯状電極）、２１…バッテリ、２２…スイッチ、２３…電源回路、２４…制御回路、２５…ＬＥＤ駆動回路、２６…発光素子（ＬＥＤ）、２７…撮像素子駆動回路、２８…撮像素子、２９…画像信号処理回路、３０…変調回路、３１…制御部、３２…操作入力部、３３…電源部、３４…画像処理部、３５…モニタ、３６…入出力部（Ｉ／Ｏ部）。
【図１】
0004937874.tif 000002
【図２】
0004937874.tif 000003
【図３】
0004937874.tif 000004
【図４】
0004937874.tif 000005
【図５】
0004937874.tif 000006
【図６】
0004937874.tif 000007
【図７】
0004937874.tif 000008
【図８】
0004937874.tif 000009
【図９】
0004937874.tif 000010
【図１０】
0004937874.tif 000011